(57)【要約】【課題】複数の電波を同時に受信（ダイバーシティ受信）可能な複数本のアンテナ電線とダイバーシティ受信機を構成する集積回路を備えたプリント回路基板との接続を容易に行うことができると共に、プリント回路基板の小型化をも図ることが可能なダイバーシティ受信機用コネクタユニットを提供すること。【解決手段】アンテナ電線端末に接続される電線側端子を複数配設してなる電線側コネクタと、プリント回路基板に接続されると共に電線側コネクタと嵌合接続される基板側コネクタとから構成され、基板側コネクタには、電線側の内導体端子とプリント回路基板の信号パターンに接続される略逆Ｌ字形状の内導体端子が複数設けられ、それら内導体端子が複数縦方向に並んで挿入される一の誘電体が設けられると共に、その誘電体の外表面を覆って電磁的にシールドする基板側外導体端子が分割して誘電体に装着可能に設けられている。【選択図】　図１
2004014353.tif 000002
【特許請求の範囲】
【請求項１】
複数本のアンテナ電線とダイバーシティ受信機用プリント回路基板とを接続するために前記アンテナ電線端末に接続される電線側端子を複数配設してなる電線側コネクタと、前記プリント回路基板に接続されると共に前記電線側コネクタと嵌合接続される基板側コネクタとから構成されており、この基板側コネクタには、前記電線側端子内に設けられる電線側内導体端子に接続される水平部とその水平部の一端から垂下されて前記プリント回路基板の信号パターンに接続される垂下部とを有する略逆Ｌ字形状の基板側内導体端子が複数設けられ、それら基板側内導体端子の水平部が挿入される挿入孔を有して複数縦方向に並んで設けられた水平筒部とその複数の水平筒部に挿入された前記基板側内導体端子の垂下部が収容される収容部とが一体的に形成された基板側誘電体が設けられると共に、前記電線側コネクタ端子に設けられる電線側外導体端子に接続される嵌合部と前記プリント回路基板のグランドパターンに接続される接続部とを有して前記誘電体の前記複数の水平筒部を含む外表面を覆って電磁的にシールドする基板側外導体端子が設けられていることを特徴とするダイバーシティ受信機用コネクタユニット。
【請求項２】
前記基板側外導体端子は複数に分割して前記基板側誘電体に装着可能であることを特徴とする請求項１に記載のダイバーシティ受信機用コネクタユニット。
【発明の詳細な説明】
【０００１】
【発明の属する技術分野】
本発明は、電線とプリント回路基板とを中継接続するシールド機能を有するコネクタユニットに関し、更に詳しくはアンテナ電線とダイバーシティ受信機用プリント回路基板とを中継接続するダイバーシティ受信機用コネクタユニットに関する。
【０００２】
【従来の技術】
近年、カーナビゲーションシステム等の普及に伴い、自動車のように移動によって電波の受信状態が刻々と変化する環境においても常に良好な受信状態が得られる受信装置が求められてきている。このように受信状態に変化を伴う車載用等の受信装置においては、一般に、複数のアンテナを設けることによって複数の電波を同時に受けてより強い電波を受信したアンテナを選択し使用可能とするダイバーシティ受信の方法が採用されている。
【０００３】
このようなダイバーシティ受信用として、アンテナと受信機との間を電気的に接続する接続装置（ダイバーシティ受信機用コネクタ）の従来技術としては、例えば、特開平８−２６４２３３号公報に開示されているようなものがある。このダイバーシティ受信機用コネクタは、電波を受信するメインとサブの２つのアンテナからの電線と受信機を構成する集積回路を備えたプリント回路基板とを接続するコネクタであって、それぞれのアンテナのホット側端子との接続部を担うメインホット切片とサブホット切片とを備えている。これらのアンテナのコネクタへの接続は、各アンテナのホット側端子を対応するメイン又はサブホット切片を個々に組み付けることによってなされる。
【０００４】
【発明が解決しようとする課題】
しかしながら、前述のようなダイバーシティ受信機用のコネクタは、複数本のアンテナ電線をそれぞれ別々にコネクタに組み付ける構造であるため、接続されるアンテナの極数が多くなればなるほど組付工程は増加し、組付作業の効率化を妨げる要因となっていた。また、このような複数の電線が接続されるいわゆる多極型のコネクタは、通常、複数本のアンテナ電線がプリント回路基板面に対して横方向に並列されるように、アンテナ電線との接続部がプリント回路基板に対して横方向に配設された状態でプリント回路基板上に設置される。したがって、コネクタがプリント回路基板面に占める専有面積が大きく、その専有面積分だけプリント回路基板上に信号パターンや電子素子等を配設させるスペースを別に設けなければならず、プリント回路基板の小型化を妨げるという問題もあった。
【０００５】
本発明の解決しようとする課題は、複数の電波を同時に受信（ダイバーシティ受信）可能な複数本のアンテナ電線とダイバーシティ受信機を構成する集積回路を備えたプリント回路基板との接続を簡易的に行うことができ、かつ、プリント回路基板の小型化をも図ることが可能なダイバーシティ受信機用コネクタユニットを提供することである。
【０００６】
【課題を解決するための手段】
この課題を解決するために本発明に係るダイバーシティ受信機用基板側コネクタは、複数本のアンテナ電線とダイバーシティ受信機用プリント回路基板とを接続するために前記アンテナ電線端末に接続される電線側端子を複数配設してなる電線側コネクタと、前記プリント回路基板に接続されると共に前記電線側コネクタと嵌合接続される基板側コネクタとから構成されており、この基板側コネクタには、前記電線側端子内に設けられる電線側内導体端子に接続される水平部とその水平部の一端から垂下されて前記プリント回路基板の信号パターンに接続される垂下部とを有する略逆Ｌ字形状の基板側内導体端子が複数設けられ、それら基板側内導体端子の水平部が挿入される挿入孔を有して複数縦方向に並んで設けられた水平筒部とその複数の水平筒部に挿入された前記基板側内導体端子の垂下部が収容される収容部とが一体的に形成された基板側誘電体が設けられると共に、前記電線側コネクタ端子に設けられる電線側外導体端子に接続される嵌合部と前記プリント回路基板のグランドパターンに接続される接続部とを有して前記誘電体の前記複数の水平筒部を含む外表面を覆って電磁的にシールドする基板側外導体端子が設けられていることを要旨とする。
【０００７】
このように、ダイバーシティ用アンテナ電線の端末部が接続される電線側コネクタのハウジング内に複数配設された状態で基板側コネクタに接続されれば、上述の従来型のコネクタの如くアンテナ電線を個々に基板側のコネクタに組み付ける必要がなく、アンテナ電線とプリント回路基板との間の接続を一回の組付工程で容易に行うことができる。
【０００８】
また、この基板側コネクタは、略逆Ｌ字状の内導体端子が複数縦方向に並んで設けられた構成なので、プリント回路基板面に対して複数横方向に並べた従来型のコネクタと比べて、プリント基板面に対する専有面積が削減され、その削減可能なスペースに信号パターンや電子素子等を配設させることによってプリント回路基板の小型化を図ることが可能となる。もしくは、プリント回路基板面に対する専有面積が削減された分だけプリント基板面上に配設される配線回路の専有面積を増大させることが可能となる。さらに、この基板側コネクタに用いられる誘電体が１つという構成なので、部品点数や組付け工数の削減にもなる。
【０００９】
この場合に、前記外導体端子は複数に分割して前記誘電体に装着可能である構成にすれば、基板側コネクタの組付けが行いやすい上に、一体ものにする場合よりも分割された外導体端子のそれぞれの形状を簡易なものとすることができる。
【００１０】
【発明の実施の形態】
以下に本発明の実施の形態に係るダイバーシティ受信機用コネクタユニットについて、図面を用いて詳細に説明する。
【００１１】
本発明の一実施形態に係るダイバーシティ受信機用コネクタユニットを例えば２極用コネクタに適用した場合の概略構成を図１の断面図に示す。このコネクタユニット１は図中右側の基板側コネクタ１０と左側の電線側コネクタ１００とで構成されており、プリント回路基板４０の端部位置にて接続された基板側コネクタ１０と、アンテナ電線５０の電線端末に接続された電線側コネクタ１００とを向かい合わせに嵌合接続させることで、それぞれのコネクタの内部に設けられた基板側端子２０と電線側端子１１０とが電気的に接続され、アンテナ電線５０とプリント回路基板４０との間の電気信号の受け渡しやシールドの接地が可能になる。
【００１２】
先ず、プリント回路基板４０に取り付けられる基板側コネクタ１０について図１〜図５を用いて説明する。尚、これら図面の説明においては、コネクタ同士の嵌合接続側をそれぞれのコネクタの「前側」として説明する。図２は基板側コネクタ１０の分解斜視図、図３はハウジング３０の断面斜視図、図４は基板側端子２０の組立ての工程が順に示された断面図、図５は基板側コネクタ１０のプリント回路基板４０への取り付けを示した外観斜視図を表している。
【００１３】
図２に示されるように基板側コネクタ１０は、アンテナ電線５０とプリント回路基板４０との電気信号の受け渡しを行うための２つの略逆Ｌ字形状の内導体端子１１，２１と、その内導体端子１１，２１を電磁的に遮蔽するための２つの外導体端子１３，２３と、これら内導体端子１１，２１と外導体端子１３，２３との間に組み付けられる１つの誘電体１２と、これらの部材で組立てられた基板側端子２０が収容されるハウジング３０とで構成される。
【００１４】
内導体端子１１，２１は、導電性板材を型抜きすることで形成されており、それぞれの水平部１１ａ，２１ａの一端側が相手方となる電線側コネクタ１００の内導体端子１１１，１１１に接続されると共に、その水平部１１ａ，２１ａそれぞれの他端側が下方に垂下された垂下部１１ｂ，２１ｂの先端がプリント回路基板４０の所望の信号パターン４２に接続されることで、アンテナ電線５０とプリント回路基板４０との間の電気信号の受け渡しが行われるものである。
【００１５】
具体的にこの内導体端子１１，２１のタブ状に形成された水平部１１ａ，２１ａは電線側コネクタ１００に内蔵されるメス型形状の内導体端子１１１，１１１に嵌り込んで接続され（図１参照）、垂下部１１ｂ，２１ｂの先端は、プリント回路基板４０のスルーホール４１ａに嵌め込まれて基板面上の信号パターン４２とハンダ接続される（図１及び図５参照）。
【００１６】
この２つの内導体端子１１，２１が挿入される誘電体１２は、所定の誘電率を有する樹脂製の絶縁性材料から成形されており、内導体端子１１，２１と後述する外導体端子１３，２３との間に組み付けられて、両導体端子間を絶縁状態にする。この誘電体１２は、縦長の開口面を有する収容部１２ａと、その収容部１２ａの右側側面から延設され、縦に並んだ２つの筒状の水平筒部１２ｂ，１２ｃとが一体的に設けられている。
【００１７】
これら水平筒部１２ｂ，１２ｃには、それぞれ内導体端子１１，２１の水平部１１ａ，２１ａが挿入される挿入孔１２ｄ，１２ｅが前後に開口されると共に、収容部１２ａ内部の収容室１２ｆに連通して設けられている（図４（ａ）参照）。図示されるように小さい方の内導体端子１１は、収容部１２ａの開口から収容室１２ｆを通って下側の水平筒部１２ｂの挿入孔１２ｄにその水平部１１ａが挿入されると、それに伴って垂下部１１ｂは収容室１２ｆの奥側位置で収容され、大きい方の内導体端子２１も同様に、収容部１２ａの開口から収容室１２ｆを通って上側の水平筒部１２ｃの挿入孔１２ｅにその水平部２１ａが挿入されると、それに伴って垂下部２１ｂは収容室１２ｆのやや手前側位置で収容されるようになっている（図４（ｂ）参照）。
【００１８】
この誘電体１２の水平筒部１２ｂ，１２ｃのそれぞれの上面には、前後に段差のある溝部１２ｇ，１２ｈが凹状に設けられ、後述する外導体端子１３，２３の装着に用いられる。
【００１９】
外導体端子１３，２３は導電性板材を型抜きした後、プレス等による曲げ加工により成形されており、誘電体１２の周囲を覆うと共に内部の内導体端子１１，２１を電磁的にシールドするためのものである。このうち小さい方の外導体端子１３の方は下側の水平筒部１２ｂに挿入された内導体端子１１に対応してその周囲を覆うもので、大きい方の外導体端子２３は誘電体１２の上側の水平筒部１２ｃに挿入された内導体端子２１に対応してその周囲を覆うように設けられている。この外導体端子１３，２３には、その前方側に嵌合部１３ａ，２３ａと、この嵌合部１３ａ，２３ａの後部から下方に延設された基板接続部１３ｂ，２３ｂとが備えられている。
【００２０】
外導体端子嵌合部１３ａ，２３ａの先端の開口部には、嵌合接続の相手となる電線側コネクタ１００の外導体端子１１３，１１３がそれぞれ嵌め込まれるようになっている（図１参照）。この嵌合部１３ａ，２３ａの上下及び左右壁面には、電線側コネクタ１００の外導体端子１１３，１１３の外壁面に弾性接触可能な接触部１３ｃ，２３ｃが内側に突設されている。
【００２１】
また、それぞれの嵌合部１３ａ，２３ａの後部上面には、係止部１３ｄ，２３ｄが内側に突設されており、前述の誘電体１２の水平筒部１２ｂ，１２ｃの上面に設けられた溝部１２ｇ，１２ｈの段差部に係合することで誘電体１２から容易に外れないように装着される。
【００２２】
また、この係止部１３ｄ，２３ｄの左右両側位置には、ハウジング３０内に外導体端子１３，２３を収容する際の案内および収容後の係止のためのスタビライザ１３ｅ，２３ｅが外側に向けて形成されている。このスタビライザ１３ｅ，２３ｅの下方には左右一対のランス１３ｆ，２３ｆが外側に突設されており、ハウジング３０のランス係合部３２ｂ，３３ｂに収容の際に係合して固定されるようになっている。
【００２３】
この外導体端子１３，２３のうち、大きい方の外導体端子２３の上面後端には、折曲げ片２３ｇが設けられている。この折曲げ片２３ｇは山折り線Ａから下方に折り曲げることで、装着後の誘電体１２の後側開口面を塞ぐことができ、基板側端子２０のシールド性能の低下を防ぐことができるもので、図２は折り曲げ前の状態が示されている。この折曲げ片２３ｇの後端付近において、左右縁部から下方に折り曲げられてなる係合片２３ｈ，２３ｈが設けられ、その中央には基板接続部２３ｂの左右外面に接触する係合突部２３ｉ，２３ｉが内側に形成されている。これに対応して、基板接続部２３ｂの左右壁面には、係合孔２３ｊ，２３ｊが形成されており、折曲げ片２３ｇを折り曲げた状態で係合されるようになっている。
【００２４】
外導体端子１３，２３の基板接続部１３ｂ，２３ｂのそれぞれの下端には、左右一対からなる接地用タブ１３ｋ，２３ｋが、前後にずれた位置で下方に向かって突出して設けられており、プリント回路基板４０のスルーホール４１ｂに嵌め込まれた状態でプリント回路基板４０のグランドパターン４３に接続される（図５参照）。
【００２５】
ハウジング３０は、絶縁性の樹脂材料等から一体的に成形されており、上述の内導体端子１１，２１、誘電体１２及び外導体端子１３，２３から構成された基板側端子２０を収容固定するものである。
【００２６】
図３の断面斜視図に示すように、このハウジング３０には、隔壁３１を介して上下２つの収容室３２，３３が前後方向に貫通して設けられており、これらの収容室３２，３３に、外導体端子１３，２３がそれぞれ嵌合収容される。各収容室３２，３３の左右壁面には後端側から嵌合溝３２ａ，３３ａが形成されており、外導体端子１３，２３のスタビライザ１３ｅ，２３ｅが嵌合される。また、各収容室３２，３３の左右壁面にはランス係合部３２ｂ，３３ｂが凹状に設けられており、外導体端子１３，２３のランス１３ｆ，２３ｆが嵌合される。また、ランス係合部３２ｂ，３３ｂの延長上にある各収容部３２，３３の左右壁面端縁には導入溝３２ｃ，３３ｃが設けられており、ランス１３ｆ，２３ｆの導入が容易になっている。
【００２７】
また、収容室３２，３３の前方には、前面が開口されたフード部３４が設けられており、接続の相手方となる電線側コネクタ１００の前方部が収容される。このフード部３４の前方上端縁にはストッパ３４ａが突設されており、電線側コネクタ１００のハウジング１３０に係合する。そして、ハウジング３０の外壁面には上下に貫通したネジ孔３５ａを備えた取付部３５が突設されており、ネジ等によってプリント回路基板４０に固定するのに用いられる。
【００２８】
次に、図４を用いて上記構成部材からなる基板側コネクタ１０の組立工程について説明する。まず、図４（ａ）の状態から小さい方の内導体端子１１を誘電体１２の後方開口部から収容室１２ｆを介して、その水平部１１ａを下側の水平筒部１２ｂに挿入させる。垂下部１１ｂが収容室１２ｆの奥側の内壁に当接するまで押し込むと、水平部１１ａと垂下部１１ｂのそれぞれの先端が誘電体１２から突出される。次に大きい方の内導体端子２１も同様に誘電体１２の後方開口部から収容室１２ｆを介して、その水平部２１ａを上側の水平筒部１２ｃに挿入させる。垂下部２１ｂが収容室１２ｆの手前側の内壁に当接するまで押し込むと、水平部２１ａと垂下部２１ｂのそれぞれの先端が誘電体１２から突出されて、内導体端子１１，２１の誘電体１２への組み付けが完了する（図４（ｂ）参照）。
【００２９】
そして、図４（ｃ）に示すように、この内導体端子１１，２１と誘電体１２とからなる組立体に、先に大きい方の外導体端子２３を装着する。その後、小さい方の外導体端子１３を装着する。次に、図４（ｄ）のように折曲げ片２３ｇを誘電体１２の後面側に折り曲げて誘電体１２の後面を塞ぐと基板側端子２０が完成し、最後にこの基板側端子２０をハウジング３０に収容固定して基板側コネクタ１０の組立は完了する。
【００３０】
こうして得られた基板側コネクタ１０のプリント回路基板４０への取り付けは、図５に示すように、ハウジング３０の下端から突出する各内導体端子１１，２１の垂下部１１ｂ，２１ｂと外導体端子１３，２３の接地用タブ１３ｋ，２３ｋとをプリント回路基板４０のスルーホール４１ａ，４１ｂに挿通させる。
【００３１】
このとき、ハウジング３０の取付部３５のネジ取付孔３５ａがプリント回路基板４０上に形成されるネジ穴４４と重なり、別途用意したネジＳをネジ取付孔３４ａとネジ穴４４に挿通させプリント回路基板４０にネジ留めすることによって、基板側コネクタ１０がプリント回路基板４０上に固定保持される。スルーホール４１ａ，４１ｂに挿通された内導体端子の垂下部１１ｂ，２１ｂ及び外導体端子の接地用タブ１３ｋ，２３ｋをプリント回路基板４０の表裏両面側からハンダ付けすることによって、内導体端子１１，２１が信号パターン４２に接続されると共に、外導体端子１３，２３がグランドパターン４３に接続される。これにより、基板側コネクタ１０とプリント回路基板４０とが信号系統及びシールド系統において電気的に接続されたことになる。
【００３２】
次に、以上説明した基板側コネクタ１０の嵌合接続の相手方となる電線側コネクタ１００について、図６を参照して説明する。図示されるように、この電線側コネクタ１００は、アンテナ電線５０の芯線５１と接続されるメス型形状の内導体端子１１１と、この内導体端子１１１を覆う外導体端子１１３と、両端子間１１１，１１３を絶縁保持する誘電体１１２とを備える電線側端子１１０をハウジング１３０内に２つ配設させてなるものである。
【００３３】
電線側コネクタ１００の内導体端子１１１は、導電性部材から形成されており、一端側に弾性接触片１１１ａが設けられ、前述の基板側コネクタ１０の内導体端子１１，２１に弾性接触可能になっている。他端側には対からなる芯線バレル１１１ｂが設けられており、アンテナ電線５０の芯線５１にかしめ接続される。
【００３４】
電線側コネクタ１００の誘電体１１２は、絶縁性の樹脂材料等から形成されており、内導体端子１１１と外導体端子１１３とを絶縁状態で保持する。この誘電体１１２は、内導体端子１１１を収容する収容室１１２ａと、一端側に外導体端子１１３の嵌合部１１３ａに係止されるフランジ部１１２ｂとを備えている。
【００３５】
電線側コネクタ１００の外導体端子１１３は、導電性部材を折り曲げ加工して形成されており、誘電体１１２の周囲を覆うと共に、内導体端子１１１を電磁的にシールドするためのものである。この外導体端子１１３は、誘電体１１２の周囲を覆う嵌合部１１３ａを備え、前後が開口されている。この嵌合部１１３ａの後部左右側面には、スタビライザ１１３ｂが左右外側に向けて形成されている。また、他端側には、対からなる編組バレル１１３ｃが設けられており、アンテナ電線５０の編組線５３の周面にかしめ接続される。
【００３６】
電線側コネクタ１００のハウジング１３０は、絶縁性の樹脂材料等から形成されており、前述の内導体端子１１１、誘電体１１２、及び外導体端子１１３とで構成される電線側端子１１０を内部に２つ収容するようになっている。このハウジング１３０には、収容室１３１，１３１が上下に並設されており、電線側端子１１０がそれぞれ嵌合収容される。また、収容室１３１，１３１のそれぞれの両側壁面には、外導体端子１１３のスタビライザ１１３ｂが嵌合される嵌合溝１３１ａが設けられている。
【００３７】
また、このハウジング１３０には、上記収容室１３１に挿入された電線側端子１１０を抜脱不能に係止するためにリテーナ１４０が装着可能となっており、ハウジング１３０の一側壁面には、このリテーナ１４０を挿入する差込溝１３３が収容室１３１と連通して形成されている。このリテーナ１４０は絶縁性の樹脂材料等により形成されており、平板状の基部１４０ａから係合部１４０ｂが複数立設されてなるものである。各係合部１４０ｂは、リテーナ１４０を装着した際に、各電線端子１１０のスタビライザ１１３ｂ等に係合して電線側端子１１０，１１０の後方への抜けを防止する（図１参照）。
【００３８】
ハウジング１３０の上面には弾性変形可能なロック部１３４が後方に向けて延設されている。このロック部１３４の中央には基板側コネクタ１０のストッパ３４ａが嵌入される嵌入溝１３４ａが長手方向に沿って形成され、さらに、この嵌入溝１３４ａの途中位置にはストッパ３４ａを係合するためのロック用突起１３４ｂが突設されている。
【００３９】
次に、このような電線側コネクタ１００の組立工程について説明する。初めに、電線側端子１１０の組立工程について説明する。図示されるようにアンテナ電線５０は、予め芯線５１と、芯線５１を中心に同心円上に被覆される絶縁内被５２、編組線５３、及び絶縁外被５４をそれぞれ階層的に露出させ、さらに、露出させた編組線５３を絶縁外被５４側へと折り返した状態にされている。
【００４０】
このようなアンテナ電線５０の芯線５１に内導体端１１１の芯線バレル１１１ｂをかしめてアンテナ電線５０と内導体端子１１１とを接続する。誘電体１１２は、そのフランジ部１１２ｂが外導体端子１１３の嵌合部１１３ａの前方端縁に当接するまで押し込んでおく。そして、アンテナ電線５０が接続された内導体端子１１１を誘電体１１２の収容室１１２ａ内へ挿入する。最後にアンテナ電線５０の折り返した編組線５３の周面に外導体端子１１３の編組バレル１１３ｃをかしめることにより、電線端子１１０の組立作業が完了する。
【００４１】
こうして得られた電線側端子１１０，１１０をハウジング１３０の収容室１３１，１３１に挿入し、リテーナ１４０を差込溝１３３へと嵌め入れると、各電線端子１１０の抜脱が阻止される。以上の工程により、電線側コネクタ１００の組立作業が完了する。
【００４２】
これら基板側コネクタ１０と電線側コネクタ１００とを接続するに際しては、図１に示すように、基板側コネクタ１０側の内導体端子１１，２１の水平部１１ａ，２１ａを、電線側コネクタ１００側のメス型の内導体端子１１１の弾性接触片１１１ａに嵌合接続することにより、基板側コネクタ１０と電線側コネクタ１００との間で電気信号の受け渡しが可能となる。また、電線側コネクタ１００のハウジング１３０の上面に延設されるロック部１３４のロック用突起１３４ａに、基板側コネクタ１０のハウジング３０のストッパ３４ａを係合することにより、電線側コネクタ１００が基板側コネクタ１０からの容易に抜脱されないようになる。
【００４３】
このように本実施の形態に係るダイバーシティ受信機用コネクタユニットは、複数本（この場合２本）のアンテナ電線５０に接続されたそれぞれの電線側端子１１０をハウジング１３０により一体化された電線側コネクタ１００と、同様にハウジング３０により一体化された基板側コネクタ１０とを接続する構成なので、複数のアンテナ電線のプリント回路基板への接続が一括で行うことができる。したがって、複数本のアンテナ電線の接続端子を１つ１つ基板側のコネクタの接続端子に接続させていた従来型のコネクタに比べて、接続作業が簡便となる。
【００４４】
さらに、このコネクタユニットに用いられる基板側コネクタは、略逆Ｌ字状の内導体端子を複数縦方向に並設した構成なので、プリント回路基板面に対して複数横方向に並べた従来型のコネクタと比べて、プリント基板面に対する専有面積が小さくなり、プリント回路基板の小型化ができたり、配線回路の専有面積を増大させることが可能となる。さらに、この基板側コネクタに用いられる誘電体が１つという構成なので、部品点数や組付け工数の削減にもなる。
【００４５】
以上、本発明の実施の形態について説明したが、本発明に係るダイバーシティ受信機用コネクタユニットは、上記実施の形態に何ら限定されるものではなく、本発明の要旨を逸脱しない範囲で種々の改変が可能である。例えば、上記実施の形態では、２本のアンテナ電線とプリント回路基板とを繋ぐ２極型のダイバーシティ受信機用コネクタユニットについて示しているが、３極以上の電線端子及びシールド端子を備えたものであっても良いことはいうまでもない。
【００４６】
【発明の効果】
本発明に係るダイバーシティ受信機用コネクタユニットは、複数の電波を同時に受信（ダイバーシティ受信）可能な複数本のアンテナ電線とダイバーシティ受信機を構成する集積回路を備えたプリント回路基板との接続を簡易に行うことができ、かつ、プリント回路基板の小型化をも図ることが可能なものである。
【図面の簡単な説明】
【図１】本発明の一実施の形態に係るダイバーシティ受信機用コネクタユニットの概略構成図である。
【図２】図１に示す基板側コネクタの分解斜視図である。
【図３】図１に示すハウジングの断面斜視図である。
【図４】図１に示す基板側端子の組立工程を示した横断面図である。
【図５】図１に示す基板側コネクタをプリント回路基板に取り付け状態を示した斜視図である。
【図６】図１に示す電線側コネクタの分解斜視図である。
【符号の説明】
１　コネクタユニット
１０　基板側コネクタ
２０　基板側端子
１１，２１　基板側内導体端子
１１ａ，２１ａ　水平部
１１ｂ，２１ｂ　垂下部
１２　基板側誘電体
１３，２３　　基板側外導体端子
３０　基板側ハウジング
３１，８１　隔壁
３２，８２　収容部（下段側）
３３，８３　収容部（上段側）
４０　プリント回路基板
５０　アンテナ電線
１００　電線側コネクタ
１１０　電線側端子
１１１　電線側内導体端子
１１２　電線側誘電体
１１３　電線側外導体端子
１３０　電線側ハウジング
【図１】
2004014353.tif 000003
【図２】
2004014353.tif 000004
【図３】
2004014353.tif 000005
【図４】
2004014353.tif 000006
【図５】
2004014353.tif 000007
【図６】
2004014353.tif 000008